(57)【要約】【課題】所定のイベントを識別する情報をあらかじめ登録したユーザの端末装置に対して、現在時刻に応じたコンテンツのリンク情報を送信する。【解決手段】情報処理装置は、所定のイベントを識別する個別識別情報に対して複数のコンテンツのリンク情報を時間軸とともに関連付けしたリンクスケジュールテーブルから、現在時刻に応じた前記コンテンツのリンク情報を抽出する抽出部と、抽出した前記コンテンツのリンク情報を前記個別識別情報が登録された端末装置に向けて送信する送信制御部と、を備える。【選択図】図４
2017022297.tif 000002
【特許請求の範囲】
【請求項１】
所定のイベントを識別する個別識別情報に対して複数のコンテンツのリンク情報を時間軸とともに関連付けしたリンクスケジュールテーブルから、現在時刻に応じた前記コンテンツのリンク情報を抽出する抽出部と、
抽出した前記コンテンツのリンク情報を前記個別識別情報が登録された端末装置に向けて送信する送信制御部と、
を備える、情報処理装置。
【請求項２】
前記リンクスケジュールテーブルは、前記コンテンツのリンク情報を有効化する開始時刻及び終了時刻のうちの少なくとも一方の情報を含む、請求項１に記載の情報処理装置。
【請求項３】
前記複数のコンテンツが前記イベントの詳細情報を紹介するウェブサイトを含み、
前記コンテンツのリンク情報は、前記ウェブサイトのアドレス情報を含む、請求項１に記載の情報処理装置。
【請求項４】
前記複数のコンテンツが短文投稿サイトを含み、
前記コンテンツのリンク情報は、前記短文投稿サイトのアドレス情報を含む、請求項１に記載の情報処理装置。
【請求項５】
前記短文投稿サイトのアドレス情報は、少なくとも前記イベントの進行中に有効化される、請求項４に記載の情報処理装置。
【請求項６】
前記複数のコンテンツがテレビジョン放送を含み、
前記コンテンツのリンク情報は、テレビジョン番組に対して割り当てられるイベント識別情報を含む、請求項１に記載の情報処理装置。
【請求項７】
前記イベント識別情報は、前記テレビジョン番組の放送終了時刻までの期間に有効化される、請求項６に記載の情報処理装置。
【請求項８】
前記複数のコンテンツが見逃し番組提供サイトを含み、
前記コンテンツのリンク情報は、前記見逃し番組提供サイトのアドレス情報を含む、請求項１に記載の情報処理装置。
【請求項９】
前記見逃し番組提供サイトのアドレス情報は、前記イベントとしてのテレビジョン放送、又は、前記イベントに関連するテレビジョン放送の終了後に有効化される、請求項８に記載の情報処理装置。
【請求項１０】
所定のイベントがテレビジョン番組であり、
前記リンクスケジュールテーブルは、前記テレビジョン番組の紹介サイトのアドレス情報、前記テレビジョン番組に対して割り当てられるイベント識別情報、視聴リマインダサイトのアドレス情報、短文投稿サイトのアドレス情報、及び、見逃し番組提供サイトのアドレス情報のうちの少なくとも一つを、有効化開始時刻がこの順となるように含む、請求項１に記載の情報処理装置。
【請求項１１】
前記リンクスケジュールテーブルは、任意の時間に変更され得る、請求項１に記載の情報処理装置。
【請求項１２】
前記送信制御部は、抽出された前記コンテンツのリンク情報が、すでに前記端末装置に送信したリンク情報と同じである場合には、当該リンク情報の送信を省略する、請求項１に記載の情報処理装置。
【請求項１３】
所定のイベントを識別する個別識別情報に対して複数のコンテンツのリンク情報を時間軸とともに関連付けしたリンクスケジュールテーブルから、現在時刻に応じた前記コンテンツのリンク情報を抽出することと、
抽出した前記コンテンツのリンク情報を前記個別識別情報が登録された端末装置に向けて送信することと、
を含む、情報処理方法。
【請求項１４】
所定のイベントを識別する個別識別情報の登録処理を行う登録処理部と、
情報処理装置により、前記個別識別情報に対して複数のコンテンツのリンク情報を時間軸とともに関連付けしたリンクスケジュールテーブルから現在時刻に応じて抽出され、送信される前記コンテンツのリンク情報を取得する取得部と、
取得した前記リンク情報に基づき所定の動作制御を行う制御部と、
を備える、制御装置。
【請求項１５】
前記登録処理部は、識別コードサーバに対して識別コードを示す情報を送信するとともに、当該識別コードを示す情報に対応する前記個別識別情報を前記識別コードサーバから受信する、請求項１４に記載の制御装置。
【請求項１６】
前記制御部は、前記リンク情報に基づいて、表示部に前記コンテンツを表示させる、請求項１４に記載の制御装置。
【請求項１７】
前記制御部は、前記リンク情報に基づいて、前記コンテンツに応じた動作をユーザに促す表示を行う、請求項１４に記載の制御装置。
【発明の詳細な説明】
【技術分野】
【０００１】
本開示は、情報処理装置及び情報処理方法並びに制御装置に関する。
【背景技術】
【０００２】
従来、あるコンテンツを識別する識別情報を、対応する他のコンテンツの識別情報に変換して、ユーザに提供する情報処理装置がある。例えば、特許文献１には、コンテンツを識別する識別情報間の対応関係を示すテーブル情報に基づいて、あるコンテンツの識別情報を対応する他のコンテンツの識別情報に変換する変換手段と、変換後の識別情報により示される他のコンテンツを検索する検索手段とを備えた情報処理装置が開示されている。【０００３】
また、特許文献２には、あらかじめ定められた配信時間に端末装置に配信されるコンテンツへのリンクにおいて、リンク参照時の時刻がコンテンツ配信の前であるか配信中であるのか、あるいは、コンテンツ配信後であるのかに応じて、リンク参照時の端末装置の振る舞いを変化させる情報処理装置が開示されている。また、この情報処理装置は、コンテンツへのアクセスをいつでも可能にし、リンクが無効にならないようにしている。
【先行技術文献】
【特許文献】
【０００４】
【特許文献１】特許第４８４１４９２号公報
【特許文献２】特開２００６−１６６２８４号公報
【発明の概要】
【発明が解決しようとする課題】
【０００５】
あるイベントが行われる場合において、当該イベントに関心を持つ人がイベントに関連する種々の情報に触れることができれば、イベントに対する関心度はさらに高められ、満足度も高まる。イベントに関心を持つユーザにとって有用な情報は、イベントが開始されるまでの期間と、イベントが行われている時間帯と、イベントの終了後の期間とで異なる。あらかじめ所定のイベントに関心を示しているユーザに対して、当該イベントが行われる時間と現在時刻とに応じて、様々なコンテンツの情報をユーザの端末装置に提供することができれば、ユーザの満足度を高めることができると考えられる。【０００６】
しかしながら、特許文献１に記載された情報処理装置は、例えば、ワンセグ放送及びフルセグ放送のような固定的な関係を示すテーブル情報に基づいて識別情報の変換を行い、リンクの参照先を変えるものであり、変換後の識別情報が時間軸で変化するものではない。また、特許文献２に記載された情報処理装置は、ユーザがリンクを含むブラウザ等にアクセスして閲覧した際のリンク表示に関するものであり、ユーザがリンクを含むブラウザ等にアクセスしない限り、ユーザはリンク先のコンテンツの情報に触れる機会がない。【０００７】
そこで、本開示では、所定のイベントを識別する情報をあらかじめ登録したユーザの端末装置に対して、現在時刻に応じたコンテンツのリンク情報を送信することが可能な、新規かつ改良された情報処理装置及び情報処理方法又は制御装置を提案する。
【課題を解決するための手段】
【０００８】
本開示によれば、所定のイベントを識別する個別識別情報に対して複数のコンテンツのリンク情報を時間軸とともに関連付けしたリンクスケジュールテーブルから、現在時刻に応じた前記コンテンツのリンク情報を抽出する抽出部と、抽出した前記コンテンツのリンク情報を前記個別識別情報が登録された端末装置に向けて送信する送信制御部と、を備える、情報処理装置が提供される。【０００９】
また、本開示によれば、所定のイベントを識別する個別識別情報に対して複数のコンテンツのリンク情報を時間軸とともに関連付けしたリンクスケジュールテーブルから、現在時刻に応じた前記コンテンツのリンク情報を抽出することと、抽出した前記コンテンツのリンク情報を前記個別識別情報が登録された端末装置に向けて送信することと、を含む、情報処理方法が提供される。【００１０】
また、本開示によれば、所定のイベントを識別する個別識別情報の登録処理を行う登録処理部と、情報処理装置により、前記個別識別情報に対して複数のコンテンツのリンク情報を時間軸とともに関連付けしたリンクスケジュールテーブルから現在時刻に応じて抽出され、送信される前記コンテンツのリンク情報を取得する取得部と、取得した前記リンク情報に基づき所定の動作制御を行う制御部と、を備える、制御装置が提供される。
【発明の効果】
【００１１】
以上説明したように本開示によれば、あらかじめ個別識別情報が登録された端末装置に対して、所定のイベントに関連するコンテンツのリンク情報を、現在時刻に応じて送信できるようになる。したがって、端末装置を利用するユーザは、イベントに関連するコンテンツのリンク情報を得て、様々な体験をすることができ、高い満足度を得ることができる。【００１２】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１３】
【図１】本開示の実施の形態にかかる情報処理装置を用いた情報処理システムの一例について説明するための概念図である。
【図２】同実施形態にかかる情報処理システムの機能構成を示すブロック図である。
【図３】識別コードテーブルの一例を示す説明図である。
【図４】リンクスケジュールテーブルの一例を示す説明図である。
【図５】同実施形態にかかる情報処理システムの使用例を示す説明図である。
【図６】端末装置の制御処理の一例を示すフローチャートである。
【図７】識別コードサーバの制御処理の一例を示すフローチャートである。
【図８】同実施形態にかかる情報処理装置（リンクスケジュールサーバ）の制御処理の一例を示すフローチャートである。
【図９】端末装置の制御処理の第１の変形例を示すフローチャートである。
【図１０】端末装置の制御処理の第２の変形例を示すフローチャートである。
【発明を実施するための形態】
【００１４】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１５】
なお、説明は以下の順序で行うものとする。
１．情報処理システムの全体構成
２．情報処理システムの機能構成
２−１．端末装置
２−２．識別コードサーバ
２−３．リンクスケジュールサーバ
３．フローチャート
３−１．端末装置の制御処理
３−２．識別コードサーバの制御処理
３−３．リンクスケジュールサーバの制御処理
４．変形例
４−１．第１の変形例
４−２．第２の変形例
５．まとめ
６．応用例
【００１６】
＜１．情報処理システム＞
（１−１．概要）
まず、本実施形態にかかる情報処理システムの一例について説明する。本実施形態にかかる情報処理システムは、あるテレビジョン番組の放送前から放送中、放送後にかけて、当該テレビジョン番組に関心を持つユーザに対して関連コンテンツのリンク情報を提供するシステムの例である。例えば、新たなテレビジョン番組が始まる際には、多くの人々に当該テレビジョン番組を知ってもらうことを目的として、事前に広告宣伝活動が行われる。
【００１７】
このような広告宣伝活動を通じて当該テレビジョン番組に関心を持つようになった人々に対して、種々の関連コンテンツを提供することによって、そのような人々は、当該テレビジョン番組により関心を持ち、より楽しめるようになると考えられる。また、テレビジョン番組を提供する側にとっても、関心を示す人々に対して種々の関連コンテンツを提供することによって、当該テレビジョン番組の広告宣伝活動を広げるだけでなく、放送終了後においてもビジネスチャンスを広げることができると考えられる。
【００１８】
（１−２．システムの全体構成）
図１は、本実施形態にかかる情報処理システムの一例を説明するための概念図である。かかる情報処理システムは、リンクスケジュールサーバ１００と、端末装置２００と、識別コードサーバ３００と、テレビジョン受像機５０とを備える。これらの各構成要素は、インターネット等の通信ネットワーク８０を介して互いに情報を送受信可能になっている。本実施形態のリンクスケジュールサーバ１００が、本開示の情報処理装置に相当する。
【００１９】
かかる情報処理システムは、例えばテレビジョン放送の新番組が開始される場合において、当該新番組の識別情報を登録した端末装置２００に対して、リンクスケジュールサーバ１００が、種々の関連コンテンツのリンク情報を適時に送信する。リンク情報を受信した端末装置２００は、リンク情報の種類に応じて、端末装置２００を動作させる。これにより、端末装置２００を使用するユーザは、当該新番組に関連するコンテンツを利用することができ、テレビジョン番組に関連する様々な体験をすることができる。
【００２０】
端末装置２００は、通信ネットワーク８０にアクセス可能であるとともに、ウェブコンテンツを表示可能な装置であって、例えば、スマートホンやパーソナルコンピュータ、携帯電話機、タブレットコンピュータ、ＰＤＡ（Ｐｅｒｓｏｎａｌ  Ｄｉｇｉｔａｌ  Ａｓｓｉｔａｎｔ）端末等の装置とすることができる。本実施形態では、端末装置２００は、カメラを搭載したスマートホンであり、所定のテレビジョン番組の街頭広告７０等に印刷され、所定のテレビジョン番組を識別するための情報である一次元コードや二次元コード等の識別コードＩＤ＿ｃｏｄｅを撮像することができる。識別コードＩＤ＿ｃｏｄｅは、例えば、バーコードや、マトリックス型二次元コード、スタック式二次元コード等であってよい。
【００２１】
かかる端末装置２００は、ユーザの操作入力を受けて、各種の処理動作を行うことができる。また、端末装置２００は、リンクスケジュールサーバ１００から送信されるリンク情報Ｌｉｎｋ  ｔａｒｇｅｔに基づいて、各種の処理動作を行うことができる。図１では、端末装置２００が表示あるいはアクセス可能なウェブコンテンツとして、番組紹介サイト１０、短文投稿サイト２０、及び見逃し番組提供サイト３０が例示されている。
【００２２】
テレビジョン受像機５０は、テレビジョン放送網４０からテレビジョン信号を受信し、受信したテレビジョン信号に基づいて映像を表示する。テレビジョン受像機５０には、テレビジョン放送を録画する録画機器５４が接続されている。テレビジョン受像機５０及び録画機器５４は、通信ネットワーク８０に接続するための図示しない通信部を備える。テレビジョン受像機５０と録画機器５４とはそれぞれ別の装置であってもよく、一体になったものでもよい。
【００２３】
識別コードサーバ３００は、二次元コード等の識別コードＩＤ＿ｃｏｄｅを示す情報と、当該識別コードＩＤ＿ｃｏｄｅとは異なる識別情報であってテレビジョン番組ごとに付与された個別識別情報ｏｒｉｇｉｎａｌ＿ＩＤとの対応を記録した識別コードテーブルｔａｂｌｅ＿Ｂを格納する。識別コードＩＤ＿ｃｏｄｅが、テレビジョン番組に関連する種々の情報をコード化したものである一方、個別識別情報ｏｒｉｇｉｎａｌ＿ＩＤは、本実施形態にかかるリンクスケジュールサーバ１００による情報処理を利用可能とするための識別情報である。個別識別情報ｏｒｉｇｉｎａｌ＿ＩＤは、例えば、数字や文字、記号等の組み合わせにより構成される識別情報であってよい。識別コードサーバ３００は、識別コードテーブルｔａｂｌｅ＿Ｂを参照して、端末装置２００から送信される識別コードＩＤ＿ｃｏｄｅを示す情報を、対応する個別識別情報ｏｒｉｇｉｎａｌ＿ＩＤに変換し、端末装置２００に送信する。
【００２４】
リンクスケジュールサーバ１００は、個別識別情報ｏｒｉｇｉｎａｌ＿ＩＤに対して、複数のコンテンツのリンク情報Ｌｉｎｋ  ｔａｒｇｅｔを時間軸とともに関連付けしたリンクスケジュールテーブルｔａｂｌｅ＿Ａを格納する。リンクスケジュールサーバ１００は、リンクスケジュールテーブルｔａｂｌｅ＿Ａから、現在の時刻に応じたコンテンツのリンク情報Ｌｉｎｋ  ｔａｒｇｅｔを抽出し、抽出したリンク情報Ｌｉｎｋ  ｔａｒｇｅｔを、個別識別情報ｏｒｉｇｉｎａｌ＿ＩＤが登録された端末装置２００に向けて送信する。リンクスケジュールテーブルｔａｂｌｅ＿Ａは、個々のテレビジョン番組の個別識別情報ｏｒｉｇｉｎａｌ＿ＩＤに対して、テレビジョン番組の放送前の期間から、放送中、放送後の期間にわたって、種々のコンテンツのリンク情報Ｌｉｎｋ  ｔａｒｇｅｔを、有効化を開始する日時及び終了する日時とともに関連付けしたテーブル情報であってよい。
【００２５】
複数のコンテンツは、例えば、ウェブコンテンツやテレビジョン放送コンテンツを含んでよい。複数のコンテンツは、他に、音楽コンテンツ、ＥＰＧ（Ｅｌｅｃｔｒｏｎｉｃ  Ｐｒｏｇｒａｍ  Ｇｕｉｄｅ）データ、ＳＮＳ（Ｓｏｃｉａｌ  Ｎｅｔｗｏｒｋ  Ｓｅｒｖｉｃｅ）、スケジュールデータ等をはじめとする、種々の情報を含んでもよい。
【００２６】
端末装置２００は、リンクスケジュールサーバ１００から送信されるリンク情報Ｌｉｎｋ  ｔａｒｇｅｔに基づいて、端末装置２００の動作制御を行う。例えば、リンク情報Ｌｉｎｋ  ｔａｒｇｅｔがウェブサイトのＵＲＬ場合、端末装置２００は、当該ウェブサイト、あるいは、当該ウェブサイトの閲覧を促す画面表示を行ってもよい。また、リンク情報Ｌｉｎｋ  ｔａｒｇｅｔがテレビジョン放送のイベント識別情報ｅｖｅｎｔ＿ＩＤの場合、端末装置２００は、テレビジョン受像機５０に当該テレビジョン番組を表示させ、あるいは、録画機器５４に録画予約をさせてもよい。
【００２７】
（１−３．使用例）
本実施形態にかかる情報処理システムによって、ユーザは、例えば、以下のような体験をすることができる。端末装置２００のユーザが、街頭広告７０等に印刷された識別コードＩＤ＿ｃｏｄｅを撮像すると、端末装置２００は、識別コードＩＤ＿ｃｏｄｅを解析して識別コードＩＤ＿ｃｏｄｅを示す情報を記憶する。ユーザは、アプリケーションソフトによって、識別コードＩＤ＿ｃｏｄｅを示す情報を、識別コードサーバ３００へと送信する。識別コードＩＤ＿ｃｏｄｅを示す情報を受信した識別コードサーバ３００は、識別コードテーブルｔａｂｌｅ＿Ｂを参照して、識別コードＩＤ＿ｃｏｄｅを示す情報を、対応する個別識別情報ｏｒｉｇｉｎａｌ＿ＩＤに変換し、端末装置２００に送信する。
【００２８】
端末装置２００は個別識別情報ｏｒｉｇｉｎａｌ＿ＩＤを受信すると、適時に、リンクスケジュールサーバ１００にアクセスし、個別識別情報ｏｒｉｇｉｎａｌ＿ＩＤに対応するリンク情報Ｌｉｎｋ  ｔａｒｇｅｔを要求する。リンクスケジュールサーバ１００は、端末装置２００からの要求を受けると、リンクスケジュールテーブルｔａｂｌｅ＿Ａを参照して、個別識別情報ｏｒｉｇｉｎａｌ＿ＩＤに対応するコンテンツのリンク情報Ｌｉｎｋ  ｔａｒｇｅｔを現在時刻に応じて抽出する。また、リンクスケジュールサーバ１００は、抽出したコンテンツのリンク情報Ｌｉｎｋ  ｔａｒｇｅｔを、端末装置２００に対して送信する。
【００２９】
端末装置２００は、受信したリンク情報Ｌｉｎｋ  ｔａｒｇｅｔに基づいて所定の処理動作を行い、リンク先のウェブサイトを表示したり、ウェブサイトの閲覧等を促す画像表示を行ったりする。このようにして、端末装置２００のユーザは、新番組に関連する種々のコンテンツに誘導され、様々な体験をすることができる。
【００３０】
＜２．情報処理システムの機能構成＞
次に、情報処理システムの機能構成の一例について説明する。図２は、本実施形態にかかる情報処理システムの機能構成を示すブロック図である。
【００３１】
（２−１．テレビジョン受像機）
テレビジョン受像機５０は、テレビジョン放送網４０からテレビジョン信号や番組情報を受信して、表示画面にテレビジョン信号に対応するテレビジョン番組等の各種情報を表示する。テレビジョン受像機５０は、テレビジョン放送網と通信したり、通信ネットワーク８０を介してリンクスケジュールサーバ１００や端末装置２００、識別コードサーバ３００等の外部の装置と通信したりするための、図示しない通信部を備える。
【００３２】
テレビジョン受像機５０には、録画機器５４が接続されている。録画機器５４は、テレビジョン信号や番組情報を受信して、テレビジョン番組データや番組情報を記憶部に記憶する。また、録画機器５４は、記憶部に記憶されたテレビジョン番組データや番組情報を読み出し、テレビジョン番組データが示す録画番組を再生する。番組情報は、テレビジョン番組を特定するための情報であり、例えば、番組名や放送時刻、放送局名等の情報を含んでよい。録画機器５４は、テレビジョン受像機５０に内蔵されていてもよい。
【００３３】
なお、テレビジョン受像機５０は、上記の構成の装置に限られず、テレビジョン番組を表示する機能を備えた種々の装置とすることができる。例えば、テレビジョン受像機５０は、ワンセグ放送に対応した携帯電話、スマートホン、又はタブレットコンピュータ、あるいは、テレビチューナを搭載したパーソナルコンピュータ等であってもよい。また、これらのテレビジョン受像機５０は、リンクスケジュールサーバ１００、端末装置２００、又は識別コードサーバ３００のいずれかにローカル接続されていてもよい。
【００３４】
（２−２．端末装置）
端末装置２００は、ＣＰＵ２０５と、記憶部２４０と、通信部２５０と、表示部２６０と、撮像部２７０とを備える。ＣＰＵ２０５は、登録処理部２１０、取得部２２０、及び制御部２３０を備える。ＣＰＵ２０５の各部は、マイクロコンピュータ等によるプログラムの実行により実現される機能であってもよい。本実施形態のＣＰＵ２０５が、本開示における制御装置に相当する。上述のとおり、本実施形態では、端末装置２００として、スマートホンが使用される。
【００３５】
通信部２５０は、通信ネットワーク８０に接続するための通信デバイス等で構成された通信インターフェースである。通信部２５０は、通信ネットワーク８０を介して、リンクスケジュールサーバ１００や識別コードサーバ３００、テレビジョン受像機５０、録画機器５４、その他の外部の装置と通信を行う。本実施形態において端末装置２００はスマートホンであって、通信部２５０の行う通信は無線通信であるが、有線通信であってもよい。
【００３６】
表示部２６０は、制御部２３０の指示に基づいて動画や静止画、テキスト、記号等の画像表示を行う。本実施形態では、端末装置２００がスマートホンであって、表示部２６０はタッチ入力部を備える。タッチ入力部は、ユーザのタッチ操作による操作入力を受け付け、制御部２３０に操作信号を提供する。なお、端末装置２００が携帯電話である場合には、表示部２６０とは別の操作ボタン等の入力部を備え、ユーザの操作入力を受け付けてもよい。また、端末装置２００がパーソナルコンピュータである場合には、表示部２６０とは別のキーボード等の入力部を備え、ユーザの操作入力を受け付けてもよい。
【００３７】
撮像部２７０は、ユーザの操作指示に基づき、制御部２３０の指示により撮像を行う。例えば、撮像部２７０は、光を集光する撮影レンズ及びズームレンズなどの撮像光学系、及びＣＣＤ（Ｃｈａｒｇｅ  Ｃｏｕｐｌｅｄ  Ｄｅｖｉｃｅ）又はＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の信号変換素子を備えることができる。撮像部２７０は、例えば静止画や動画の形式で撮像し、撮像した画像情報を記憶部２４０に記憶する。
【００３８】
ユーザは、撮像部２７０により、街頭や電車内等に掲示された看板やポスター等の街頭広告７０に印刷された識別コードＩＤ＿ｃｏｄｅを、例えば静止画の形式で撮像する。撮像される識別コードＩＤ＿ｃｏｄｅは、例えば、一次元コードであるバーコードであってもよいし、マトリックス式又はスタック式の二次元コードであってもよい。識別コードＩＤ＿ｃｏｄｅは、あらかじめ、所定のテレビジョン番組を示す情報がコード化されたものであり、例えば、番組名、放送時間、放送局等を示す情報を有する。
【００３９】
登録処理部２１０は、撮像部２７０により撮像された識別コードＩＤ＿ｃｏｄｅを解析し、識別コードＩＤ＿ｃｏｄｅを示す情報として記憶部２４０に記憶させる。登録処理部２１０は、通信ネットワーク８０を介して、識別コードＩＤ＿ｃｏｄｅを示す情報を識別コードサーバ３００に対して送信する。また、登録処理部２１０は、識別コードサーバ３００から送信される個別識別情報ｏｒｉｇｉｎａｌ＿ＩＤを、記憶部２４０に記憶させる。これにより、ユーザが使用する端末装置２００への個別識別情報ｏｒｉｇｉｎａｌ＿ＩＤの登録処理が完了する。例えば、登録処理部２１０は、ユーザの操作指示に基づいて登録処理を開始してもよい。あるいは、登録処理部２１０は、所定のアプリケーションプログラムが立ち上げられている場合に、識別コードＩＤ＿ｃｏｄｅが撮像されたときに、識別コードサーバ３００に対して識別コードＩＤ＿ｃｏｄｅを示す情報を送信してもよい。
【００４０】
取得部２２０は、個別識別情報ｏｒｉｇｉｎａｌ＿ＩＤの登録処理の完了後において、リンクスケジュールサーバ１００から送信される、個別識別情報ｏｒｉｇｉｎａｌ＿ＩＤに対応するリンク情報Ｌｉｎｋ  ｔａｒｇｅｔを取得する。具体的に、取得部２２０は、通信部２５０を介して、リンクスケジュールサーバ１００に対して、個別識別情報ｏｒｉｇｉｎａｌ＿ＩＤに対応するリンク情報Ｌｉｎｋ  ｔａｒｇｅｔの問い合わせをする。取得部２２０は、例えば、あらかじめ設定された一定の時間毎にリンク情報Ｌｉｎｋ  ｔａｒｇｅｔの問い合わせをしてもよいし、リンクスケジュールサーバ１００から、リンク情報Ｌｉｎｋ  ｔａｒｇｅｔの更新情報があることを知らされたときに、リンク情報Ｌｉｎｋ  ｔａｒｇｅｔの問い合わせをしてもよい。
【００４１】
また、本実施形態においては、テレビジョン番組の放送時間までの残りの期間あるいは放送終了後の経過期間に応じて、問い合わせをする時間の間隔を異ならせてもよい。例えば、取得部２２０は、放送時間の２週間前までは２４時間おきに問い合わせをし、２週間前から３日前までは１２時間おきに問い合わせをし、３日前から放送時間までは１時間おきに問い合わせをし、放送終了後には２４時間おきに問い合わせをしてもよい。取得部２２０は、取得したリンク情報Ｌｉｎｋ  ｔａｒｇｅｔを制御部２３０に提供する。
【００４２】
取得されるリンク情報Ｌｉｎｋ  ｔａｒｇｅｔは、例えば、番組紹介サイト１０のＵＲＬや、テレビジョン番組の放送時間の数日前あるいは数時間前に放送時間をリマインドするための視聴リマインダサイトのＵＲＬ、見逃し番組をオンデマンドで提供する見逃し番組提供サイトのＵＲＬ、関連商品を販売するインターネットショッピングサイトのＵＲＬ等であってよい。あるいは、リンク情報Ｌｉｎｋ  ｔａｒｇｅｔは、テレビジョン番組に対して割り当てられるイベント識別情報ｅｖｅｎｔ＿ＩＤであってもよい。
【００４３】
制御部２３０は、ユーザの操作入力に基づいて端末装置２００の動作制御を行う。例えば、制御部２３０は、ユーザの操作入力に基づいて撮像部２７０に撮像をさせたり、表示部２６０に画像表示をさせたり、さらには、制御部２３０は、通信ネットワーク８０を介して外部と通信する。
【００４４】
また、制御部２３０は、取得部２２０によって取得されるリンク情報Ｌｉｎｋ  ｔａｒｇｅｔに基づいて、端末装置２００の動作制御を行う。例えば、制御部２３０は、リンク情報Ｌｉｎｋ  ｔａｒｇｅｔとしてウェブサイトのＵＲＬが取得される場合、当該ウェブサイトを表示部２６０に表示させてもよい。あるいは、制御部２３０は、リンク情報Ｌｉｎｋ  ｔａｒｇｅｔとしてウェブサイトのＵＲＬが取得される場合、ユーザに当該ウェブサイトの閲覧を促す画像表示を表示部２６０に表示させてもよい。
【００４５】
ウェブサイトの閲覧を促す画像表示は、例えば、所定のウェブサイトのＵＲＬにリンク設定された個別識別情報ｏｒｉｇｉｎａｌ＿ＩＤや番組名を表示したり、同ＵＲＬにリンク設定された「閲覧できるウェブサイトがあります。」又は「ウェブサイトを表示」のような表示をしたりしてもよい。この場合、かかるリンク表示をユーザが選択することによって、制御部２３０は、対応するウェブサイトを表示部２６０に表示させる。
【００４６】
また、制御部２３０は、リンク情報Ｌｉｎｋ  ｔａｒｇｅｔとしてテレビジョン番組に対して割り当てられるイベント識別情報ｅｖｅｎｔ＿ＩＤが取得される場合、通信ネットワーク８０を介して、録画機器５４に録画予約の指示を送信してもよい。あるいは、制御部２３０は、リンク情報Ｌｉｎｋ  ｔａｒｇｅｔとしてイベント識別情報ｅｖｅｎｔ＿ＩＤが取得される場合、録画予約の指示を促す画像表示を表示部２６０に表示させてもよい。
【００４７】
録画予約の指示を促す画像表示は、例えば、個別識別情報ｏｒｉｇｉｎａｌ＿ＩＤや番組名を表示するとともに、「録画予約しますか？」又は「番組録画予約」のような表示をしてもよい。この場合、かかるリンク表示をユーザが選択することによって、制御部２３０は、通信ネットワーク８０を介して、録画機器５４に録画予約をさせる。
【００４８】
記憶部２４０は、撮像部２７０によって撮像される識別コードＩＤ＿ｃｏｄｅを示す情報や、登録処理部２１０による登録処理によって取得された個別識別情報ｏｒｉｇｉｎａｌ＿ＩＤ等の各種情報や制御パラメータを記憶する。記憶部２４０は、例えば、ＲＡＭ（Ｒａｎｄｏｍ  Ａｃｃｅｓｓ  Ｍｅｍｏｒｙ）等の記憶素子や、ＳＤメモリカード、フラッシュメモリ等であってよい。
【００４９】
（２−３．識別コードサーバ）
識別コードサーバ３００は、ＣＰＵ３３０と、ＲＡＭやＲＯＭ等の記憶素子と、ストレージ装置３１０と、通信部３２０とを備える。通信部３２０は、通信ネットワーク８０に接続するための通信デバイス等で構成された通信インターフェースである。通信部３２０は、通信ネットワーク８０を介して、リンクスケジュールサーバ１００や端末装置２００、テレビジョン受像機５０、録画機器５４等の外部の装置等と通信を行う。通信部３２０の行う通信は、有線通信であってもよいし、無線通信であってもよい。
【００５０】
ＣＰＵ３３０は、演算処理装置及び制御装置として機能し、ＲＡＭ、ＲＯＭ、ストレージ装置３１０又はリムーバル記録媒体等に記憶された各種プログラムにしたがって、識別コードサーバ３００内の動作全般又はその一部を制御する。ＲＯＭは、例えば、ＣＰＵ３３０が使用するプログラムや演算パラメータ等を記憶する。ＲＡＭは、例えば、ＣＰＵ３３０が使用するプログラムやその実行時のパラメータ等を一次記憶する。
【００５１】
ストレージ装置３１０は、データ格納用の装置であって、例えば、ＨＤＤ等の磁気記憶部デバイス、半導体記憶デバイス、光記憶デバイス又は光磁気記憶デバイス等により構成される。ストレージ装置３１０は、ＣＰＵ３３０が使用するプログラムや各種データ及び外部から取得した各種のデータ等を格納する。本実施形態においては、ストレージ装置３１０は、識別コードテーブルｔａｂｌｅ＿Ｂを記憶する。識別コードテーブルｔａｂｌｅ＿Ｂは、端末装置２００から送信される識別コードＩＤ＿ｃｏｄｅを示す情報を、個別識別情報ｏｒｉｇｉｎａｌ＿ＩＤに変換するための対応関係をまとめたテーブル情報である。
【００５２】
ＣＰＵ３３０は、端末装置２００から識別コードＩＤ＿ｃｏｄｅを示す情報を受信すると、識別コードテーブルｔａｂｌｅ＿Ｂを参照して、対応する個別識別情報ｏｒｉｇｉｎａｌ＿ＩＤに変換する。ＣＰＵ３３０は、得られた個別識別情報ｏｒｉｇｉｎａｌ＿ＩＤを、通信ネットワーク８０を介して端末装置２００に送信する。
【００５３】
図３は、本実施形態の情報処理システムで用いられる識別コードテーブルｔａｂｌｅ＿Ｂの一例を示す。かかる識別コードテーブルｔａｂｌｅ＿Ｂは、端末装置２００のカメラにより撮像されて送信されたマトリックス式二次元コードのコード情報と、各コード情報に対応する個別識別情報ｏｒｉｇｉｎａｌ＿ＩＤとを含む。個別識別情報ｏｒｉｇｉｎａｌ＿ＩＤは、識別コードＩＤ＿ｃｏｄｅを示す情報ごとに、「ＸＹＺ」、「ＡＢＣ」、「ＳＴＭ」等のようにアルファベット三文字の組み合わせにより示されている。これにより、マトリックス式二次元コードが、リンクスケジュールサーバ１００に対応する個別識別情報ｏｒｉｇｉｎａｌ＿ＩＤに変換される。かかる識別コードテーブルｔａｂｌｅ＿Ｂは、例えば新たなテレビジョン番組が追加されるごとに、逐次更新可能であってよい。
【００５４】
（２−４．リンクスケジュールサーバ）
リンクスケジュールサーバ（情報処理装置）１００は、ＣＰＵ１０５と、ＲＡＭやＲＯＭ等の記憶素子と、種々のデータが格納されたストレージ装置１３０と、通信部１４０とを備える。ＣＰＵ１０５は、抽出部１１０と送信制御部１２０とを備える。ＣＰＵ１０５の各部は、マイクロコンピュータ等によるプログラムの実行により実現される機能であってもよい。
【００５５】
通信部１４０は、通信ネットワーク８０に接続するための通信デバイス等で構成された通信インターフェースである。通信部１４０は、通信ネットワーク８０を介して、端末装置２００や識別コードサーバ３００等の外部の装置等と通信を行う。通信部１４０の行う通信は、有線通信であってもよいし、無線通信であってもよい。
【００５６】
ＣＰＵ１０５は、演算処理装置及び制御装置として機能し、ＲＡＭ、ＲＯＭ、ストレージ装置１３０又はリムーバル記録媒体等に記憶された各種プログラムにしたがって、リンクスケジュールサーバ１００内の動作全般又はその一部を制御する。ＲＯＭは、例えば、ＣＰＵ１０５が使用するプログラムや演算パラメータ等を記憶する。ＲＡＭは、例えば、ＣＰＵ１０５が使用するプログラムやその実行時のパラメータ等を一次記憶する。
【００５７】
ストレージ装置１３０は、データ格納用の装置であって、例えば、ＨＤＤ等の磁気記憶部デバイス、半導体記憶デバイス、光記憶デバイス又は光磁気記憶デバイス等により構成される。ストレージ装置１３０は、ＣＰＵ１０５が使用するプログラムや各種データ及び外部から取得した各種のデータ等を格納する。本実施形態においては、ストレージ装置１３０は、リンクスケジュールテーブルｔａｂｌｅ＿Ａを記憶する。リンクスケジュールテーブルｔａｂｌｅ＿Ａは、個々のイベントに応じて付与される個別識別情報ｏｒｉｇｉｎａｌ＿ＩＤに対して複数のコンテンツのリンク情報Ｌｉｎｋ  ｔａｒｇｅｔを時間軸とともに関連付けしたテーブル情報である。
【００５８】
図４は、リンクスケジュールテーブルｔａｂｌｅ＿Ａの一例を示す。かかるリンクスケジュールテーブルｔａｂｌｅ＿Ａは、５月７日２０：００−２１：００に放送されるテレビジョン番組「ＡＡＡ」に付与された個別識別情報ｏｒｉｇｉｎａｌ＿ＩＤ「ＸＹＺ」に対して設定されたテーブル情報である。かかるリンクスケジュールテーブルｔａｂｌｅ＿Ａにおいて、最上段には個別識別情報ｏｒｉｇｉｎａｌ＿ＩＤ「ＸＹＺ」が示され、二段目にはイベント名称Ｅｖｅｎｔ  Ｎａｍｅ「ＡＡＡ」が示されている。イベント名称Ｅｖｅｎｔ  Ｎａｍｅの下には、リンク情報Ｌｉｎｋ  ｔａｒｇｅｔが、有効化開始時刻ｓｔａｒｔ：ｄａｔｅ／ｔｉｍｅと有効化終了時刻ｅｎｄ：ｄａｔｅ／ｔｉｍｅとともに設定されている。かかるリンクスケジュールテーブルｔａｂｌｅ＿Ａでは、それぞれ異なる時間帯に有効化される４つのリンク情報Ｌｉｎｋ  ｔａｒｇｅｔが設定されている。
【００５９】
一つ目のリンク情報Ｌｉｎｋ  ｔａｒｇｅｔ「ｗｗｗ．ｗｅｂｐａｇｅ」は、番組紹介ウェブサイトのＵＲＬであり、放送日の９日前である４月２８日の１２：００から放送開始時刻である５月７日２０：００までの期間に有効化される。この番組紹介ウェブサイトは、例えば、テレビジョン番組「ＡＡＡ」を放送する放送局によって管理され、テレビジョン番組の出演者やストーリー、主題歌等の情報を提供するものであってよい。
【００６０】
二つ目のリンク情報Ｌｉｎｋ  ｔａｒｇｅｔ「ｅｖｅｎｔ＿ＩＤ  ｘｙｚ」は、テレビジョン番組に対して割り当てられるイベント識別情報ｅｖｅｎｔ＿ＩＤであり、放送日の８日前である４月２９日の０：００から放送終了時刻である５月７日２１：００までの期間に有効化される。このイベント識別情報ｅｖｅｎｔ＿ＩＤは、例えば、テレビジョン放送波の管理団体等により発行されるものであってよい。テレビジョン受像機５０に接続された録画機器５４は、イベント識別情報ｅｖｅｎｔ＿ＩＤに基づいてテレビジョン番組「ＡＡＡ」の録画予約をすることができる。
【００６１】
三つ目のリンク情報Ｌｉｎｋ  ｔａｒｇｅｔ「ｔａｎｂｕｎ．ｃｏ／ｘｙｚ」は、短文投稿サイト２０のＵＲＬであり、放送時間に合わせて、５月７日２０：００から２１：００までの期間に有効化される。この短文投稿サイト２０は、例えば放送局とは異なる管理者により運営されるサイトであり、テレビジョン番組「ＡＡＡ」の放送中に、複数の閲覧者によって書き込まれる投稿を閲覧したり、ユーザ自身もテレビジョン番組に対するコメントを書き込んだりすることができる。
【００６２】
四つ目のリンク情報Ｌｉｎｋ  ｔａｒｇｅｔ「ｗｗｗ．ｖｏｄ」は、見逃し番組提供サイトのＵＲＬであり、放送終了時刻である５月７日２１：００から１週間後の５月１４日２３：５９までの期間に有効化される。この見逃し番組提供サイトは、例えば、放送番組を見逃したユーザに対して放送終了後に当該番組の放送データをオンデマンドで提供するサイトであり、放送局あるいは放送局とは異なる管理者により運営される。ユーザは、かかる見逃し番組提供サイトの使用権限を得て、見逃した番組を放送後に視聴することができる。
【００６３】
図４に示したリンクスケジュールテーブルｔａｂｌｅ＿Ａにしたがえば、５月７日２０：００−２１：００放送のテレビジョン番組「ＡＡＡ」の個別識別情報ｏｒｉｇｉｎａｌ＿ＩＤを登録した端末装置２００に対して、４月２９日１２：００から５月１４日２３：５９までの期間に、４種類のリンク情報Ｌｉｎｋ  ｔａｒｇｅｔが送信される。
【００６４】
ただし、リンクスケジュールテーブルｔａｂｌｅ＿Ａは、任意の時間に変更されてもよい。例えば、本実施形態にかかるリンクスケジュールサーバ１００は、テレビジョン番組に関心を示すユーザに種々のリンク情報Ｌｉｎｋ  ｔａｒｇｅｔを提供するものであることから、放送日の数日前に、新たに作成された番組視聴リマインドサイトのＵＲＬが追加されてもよい。番組視聴リマインドサイトのＵＲＬは、例えば、テレビジョン番組の放送日の２日前の１２：００から放送開始時刻までの期間に有効化されてもよい。
【００６５】
ＣＰＵ１０５の抽出部１１０は、端末装置２００から個別識別情報ｏｒｉｇｉｎａｌ＿ＩＤに関連するリンク情報Ｌｉｎｋ  ｔａｒｇｅｔの問い合わせを受信したときに、現在時刻を参照するとともにリンクスケジュールテーブルｔａｂｌｅ＿Ａを参照して、現在時刻に応じたコンテンツのリンク情報Ｌｉｎｋ  ｔａｒｇｅｔを抽出する。抽出されるリンク情報Ｌｉｎｋ  ｔａｒｇｅｔは一つに限られず、現在時刻に応じて複数のリンク情報Ｌｉｎｋ  ｔａｒｇｅｔが抽出され得る。例えば、図４に示したリンクスケジュールテーブルｔａｂｌｅ＿Ａの例では、現在時刻が４月２９日１８：００である場合、リンク情報Ｌｉｎｋ  ｔａｒｇｅｔの中から番組紹介サイト１０のＵＲＬ「ｗｗｗ．ｗｅｂｐａｇｅ」のみが抽出される。また、現在時刻が５月６日１２：００である場合、リンク情報Ｌｉｎｋ  ｔａｒｇｅｔの中から番組紹介サイト１０のＵＲＬ「ｗｗｗ．ｗｅｂｐａｇｅ」と、イベント識別情報「ｅｖｅｎｔ＿ＩＤ  ｘｙｚ」とが抽出される。
【００６６】
送信制御部１２０は、抽出されたリンク情報Ｌｉｎｋ  ｔａｒｇｅｔを、通信ネットワーク８０を介して、問い合わせを要求してきた端末装置２００に向けて送信する。
【００６７】
図５は、リンクスケジュールサーバ１００により、テレビジョン番組「ＡＡＡ」の個別識別情報ｏｒｉｇｉｎａｌ＿ＩＤを登録した端末装置２００に対して、図４に示したリンクスケジュールテーブルｔａｂｌｅ＿Ａにしたがって異なるコンテンツのリンク情報Ｌｉｎｋ  ｔａｒｇｅｔを提供する例を示す説明図である。図５において、テレビジョン番組の開始日時ｔ４は５月７日２０：００であり、終了日時ｔ５は５月７日２１：００である。
【００６８】
テレビジョン番組「ＡＡＡ」の放送日の例えば３０日前から、街頭や電車内等に、看板や宣伝広告７０が掲示される。街頭広告７０には、マトリックス式二次元コード等の識別コードＩＤ＿ｃｏｄｅが印刷されている。テレビジョン番組に関心を持った端末装置２００のユーザが、日時ｔ１において、識別コードＩＤ＿ｃｏｄｅを端末装置２００の撮像部２７０により撮像するとともに、アプリケーションソフトにより個別識別情報ｏｒｉｇｉｎａｌ＿ＩＤを登録する処理を行う。個別識別情報ｏｒｉｇｉｎａｌ＿ＩＤを登録した端末装置２００は、あらかじめ設定された時間に、リンクスケジュールサーバ１００に対してリンク情報Ｌｉｎｋ  ｔａｒｇｅｔの問い合わせを行う。
【００６９】
日時ｔ２（４月２８日１２：００）には、リンクスケジュールテーブルｔａｂｌｅ＿Ａにしたがって番組紹介サイト１０のＵＲＬへのリンクが有効化される。日時ｔ２以降になると、端末装置２００からの問い合わせに対して、リンクスケジュールサーバ１００から端末装置２００へ、リンク情報Ｌｉｎｋ  ｔａｒｇｅｔとして番組紹介サイト１０のＵＲＬが送信される。端末装置２００は、取得したリンク情報Ｌｉｎｋ  ｔａｒｇｅｔに基づいて、番組紹介サイト１０を表示部２６０に表示させる。これにより、ユーザは、番組紹介サイト１０に誘導される。
【００７０】
日時ｔ３（４月２９日０：００）には、リンクスケジュールテーブルｔａｂｌｅ＿Ａにしたがってイベント識別情報ｅｖｅｎｔ＿ＩＤへのリンクが有効化される。日時ｔ３以降になると、端末装置２００からの問い合わせに対して、リンクスケジュールサーバ１００から端末装置２００へ、リンク情報Ｌｉｎｋ  ｔａｒｇｅｔとしてイベント識別情報ｅｖｅｎｔ＿ＩＤが送信される。端末装置２００は、取得したリンク情報Ｌｉｎｋ  ｔａｒｇｅｔに基づいて、通信ネットワーク８０を介して、録画機器５４に録画予約をさせる。
【００７１】
放送開始時刻ｔ４（５月７日２０：００）には、リンクスケジュールテーブルｔａｂｌｅ＿Ａにしたがって短文投稿サイト２０のＵＲＬへのリンクが有効化される。日時ｔ４以降になると、端末装置２００からの問い合わせに対して、リンクスケジュールサーバ１００から端末装置２００へ、リンク情報Ｌｉｎｋ  ｔａｒｇｅｔとして短文投稿サイト２０のＵＲＬが送信される。端末装置２００は、取得したリンク情報Ｌｉｎｋ  ｔａｒｇｅｔに基づいて、短文投稿サイト２０を表示部２６０に表示させる。これにより、ユーザは、短文投稿サイト２０に誘導される。
【００７２】
放送終了時刻ｔ５（５月７日２１：００）には、リンクスケジュールテーブルｔａｂｌｅ＿Ａにしたがって見逃し番組提供サイト３０のＵＲＬへのリンクが有効化される。日時ｔ５以降になると、端末装置２００からの問い合わせに対して、リンクスケジュールサーバ１００から端末装置２００へ、リンク情報Ｌｉｎｋ  ｔａｒｇｅｔとして見逃し番組提供サイト３０のＵＲＬが送信される。端末装置２００は、取得したリンク情報Ｌｉｎｋ  ｔａｒｇｅｔに基づいて、見逃し番組提供サイト３０を表示部２６０に表示させる。これにより、ユーザは、見逃し番組提供サイトに誘導される。
【００７３】
なお、端末装置２００にリンク情報Ｌｉｎｋ  ｔａｒｇｅｔが送信され、ウェブサイトの表示動作や録画予約動作が一度実行された後には、同じ動作が実行されないようにしてもよい。あるいは、端末装置２００は、それぞれのウェブサイトのＵＲＬが最初に端末装置２００に送信される場合にはウェブサイトの表示動作を実行する一方、それぞれのウェブサイトのＵＲＬの送信回数が２回目以上の場合にはウェブサイトの閲覧を促す表示をしてもよい。
【００７４】
＜３．フローチャート＞
ここまでに、本実施形態にかかる情報処理システムの全体構成あるいは機能構成について説明した。以下、端末装置２００、識別コードサーバ３００及びリンクスケジュールサーバ１００が実行する各制御処理のフローチャートの一例を説明する。
【００７５】
（３−１．端末装置の制御処理）
図６は、端末装置２００のＣＰＵ（制御装置）２０５により実行される制御処理のフローチャートを示す。まず、ステップＳ１０において、ＣＰＵ２０５の制御部２３０は、識別コードＩＤ＿ｃｏｄｅを撮像部２７０により撮像させ、撮像された識別コードＩＤ＿ｃｏｄｅを示す情報を記憶部２４０に記憶する。具体的に、ＣＰＵ２０５の制御部２３０は、ユーザの操作入力にしたがって、街頭広告７０等に印刷されたマトリックス式二次元コード等の識別コードＩＤ＿ｃｏｄｅを撮像部２７０に撮像させ、得られた識別コードＩＤ＿ｃｏｄｅを示す情報を記憶部２４０に記憶する。
【００７６】
次いで、ステップＳ１４において、ＣＰＵ２０５の登録処理部２１０は、アプリケーションソフトを利用して、通信ネットワーク８０を介して識別コードサーバ３００にアクセスする。登録処理部２１０は、識別コードＩＤ＿ｃｏｄｅを示す情報を識別コードサーバ３００に送信する。これにより、識別コードサーバ３００では、識別コードテーブルｔａｂｌｅ＿Ｂに基づき、識別コードＩＤ＿ｃｏｄｅを示す情報が個別識別情報ｏｒｉｇｉｎａｌ＿ＩＤ「ＸＹＺ」に変換されて、個別識別情報ｏｒｉｇｉｎａｌ＿ＩＤ「ＸＹＺ」が端末装置２００に送信される。
【００７７】
次いで、ステップＳ１８において、登録処理部２１０は、識別コードサーバ３００から送信される個別識別情報ｏｒｉｇｉｎａｌ＿ＩＤ「ＸＹＺ」を取得する。取得した個別識別情報ｏｒｉｇｉｎａｌ＿ＩＤ「ＸＹＺ」は記憶部２４０に記憶される。
【００７８】
次いで、ステップＳ２２において、ＣＰＵ２０５の取得部２２０は、通信ネットワーク８０を介して、リンクスケジュールサーバ１００へのポーリング処理を行う。具体的に、取得部２２０は、リンクスケジュールサーバ１００に対して、個別識別情報ｏｒｉｇｉｎａｌ＿ＩＤ「ＸＹＺ」に対応するリンク情報Ｌｉｎｋ  ｔａｒｇｅｔを要求する。これにより、リンクスケジュールサーバ１００では、リンクスケジュールテーブルｔａｂｌｅ＿Ａに基づき、個別識別情報ｏｒｉｇｉｎａｌ＿ＩＤに対応するリンク情報Ｌｉｎｋ  ｔａｒｇｅｔが現在時刻に応じて抽出され、端末装置２００に送信される。
【００７９】
次いで、ステップＳ２６において、取得部２２０は、リンクスケジュールサーバ１００から送信されるリンク情報Ｌｉｎｋ  ｔａｒｇｅｔを取得する。取得したリンク情報Ｌｉｎｋ  ｔａｒｇｅｔは、記憶部２４０に記憶される。
【００８０】
次いで、ステップＳ３０において、ＣＰＵ２０５の制御部２３０は、取得したリンク情報Ｌｉｎｋ  ｔａｒｇｅｔに、番組紹介サイトや視聴リマインダサイト等のＵＲＬがあるか否かを判別する。リンク情報Ｌｉｎｋ  ｔａｒｇｅｔにウェブサイトのＵＲＬが含まれる場合（Ｓ３０：Ｙｅｓ）、制御部２３０は、ステップＳ３４に進み、表示部２６０に当該ウェブサイトを表示させる。具体的に、制御部２３０は、通信ネットワーク８０を介してリンク先のウェブサイトにアクセスし、画像情報を取得して表示部２６０に表示させる。
【００８１】
リンク情報Ｌｉｎｋ  ｔａｒｇｅｔにウェブサイトのＵＲＬが含まれない場合（Ｓ３０：Ｎｏ）、又は、ステップＳ３４においてウェブサイトの表示を行った後、ステップＳ３８において、制御部２３０は、取得したリンク情報Ｌｉｎｋ  ｔａｒｇｅｔにイベント識別情報ｅｖｅｎｔ＿ＩＤがあるか否かを判別する。リンク情報Ｌｉｎｋ  ｔａｒｇｅｔにイベント識別情報ｅｖｅｎｔ＿ＩＤが含まれる場合（Ｓ３８：Ｙｅｓ）、制御部２３０は、ステップＳ４２に進み、通信ネットワーク８０を介して、テレビジョン受像機５０の録画機器５４にイベント識別情報ｅｖｅｎｔ＿ＩＤ  ｘｙｚに対応するテレビジョン番組「ＡＡＡ」の録画予約をさせる。
【００８２】
リンク情報Ｌｉｎｋ  ｔａｒｇｅｔにイベント識別情報ｅｖｅｎｔ＿ＩＤが含まれない場合（Ｓ３８：Ｎｏ）、又は、ステップＳ４２において録画予約を行った後、ステップＳ４６において、制御部２３０は、取得したリンク情報Ｌｉｎｋ  ｔａｒｇｅｔに短文投稿サイトのＵＲＬがあるか否かを判別する。リンク情報Ｌｉｎｋ  ｔａｒｇｅｔに短文投稿サイトのＵＲＬが含まれる場合（Ｓ４６：Ｙｅｓ）、制御部２３０は、ステップＳ５０に進み、表示部２６０に当該短文投稿サイトを表示させる。具体的に、制御部２３０は、通信ネットワーク８０を介してリンク先の短文投稿サイトにアクセスし、画像情報を取得して表示部２６０に表示させる。
【００８３】
リンク情報Ｌｉｎｋ  ｔａｒｇｅｔに短文投稿サイトのＵＲＬが含まれない場合（Ｓ４６：Ｎｏ）、又は、ステップＳ５０において短文投稿サイトの表示を行った後、ステップＳ５４において、制御部２３０は、取得したリンク情報Ｌｉｎｋ  ｔａｒｇｅｔに見逃し番組提供サイトのＵＲＬがあるか否かを判別する。リンク情報Ｌｉｎｋ  ｔａｒｇｅｔに見逃し番組提供サイトのＵＲＬが含まれる場合（Ｓ５：Ｙｅｓ）、制御部２３０は、ステップＳ５８に進み、表示部２６０に見逃し番組提供サイトを表示させる。具体的に、制御部２３０は、通信ネットワーク８０を介してリンク先の見逃し番組提供サイトにアクセスし、画像情報を取得して表示部２６０に表示させる。
【００８４】
リンク情報Ｌｉｎｋ  ｔａｒｇｅｔに見逃し番組提供サイトのＵＲＬが含まれない場合（Ｓ５４：Ｎｏ）、又は、ステップＳ５８において見逃し番組提供サイトの表示を行った後は、ステップＳ２２に戻って、これまでに説明した各ステップＳ２２〜ステップＳ５８を繰り返す。
【００８５】
なお、ステップＳ３０、ステップＳ３８、ステップＳ４６、ステップＳ５４は、適宜順序を前後させてもよい。また、ステップＳ３４や、ステップＳ５０、ステップＳ５８において、ウェブサイトや短文投稿サイト、見逃し番組提供サイトを直接表示させるのではなく、当該サイトを閲覧するかをユーザに選択させる画面を表示させてもよい。また、ステップＳ３４や、ステップＳ５０、ステップＳ５８において、それぞれ表示可能なウェブサイトや短文投稿サイト、見逃し番組提供サイトが複数ある場合には、各サイトを直接表示させるのではなく、どのサイトを表示させるかをユーザに選択させる画面を表示させてもよい。
【００８６】
（３−２．識別コードサーバの制御処理）
図７は、識別コードサーバ３００のＣＰＵ３３０により実行される制御処理のフローチャートを示す。まず、ステップＳ１０２において、ＣＰＵ３３０は、識別コードテーブルｔａｂｌｅ＿Ｂをストレージ装置３１０に記憶させる。識別コードテーブルｔａｂｌｅ＿Ｂは、例えば、リンクスケジュールサーバ１００を利用した情報処理システムを管理する管理者により管理され、ストレージ装置３１０に格納される。
【００８７】
次いで、ステップＳ１０６において、ＣＰＵ３３０は、端末装置２００からのアクセスがあるか否かを判別する。端末装置２００からのアクセスがない場合（Ｓ１０６：Ｎｏ）、ステップＳ１０６の判別を繰り返し行う。一方、端末装置２００からのアクセスがある場合（Ｓ１０６：Ｙｅｓ）、ステップＳ１１０に進み、ＣＰＵ３３０は、マトリックス式二次元コード等の識別コードＩＤ＿ｃｏｄｅを示す情報を受信する。
【００８８】
次いで、ステップＳ１１４において、ＣＰＵ３３０は、識別コードテーブルｔａｂｌｅ＿Ｂを参照して、テレビジョン番組「ＡＡＡ」の識別コードＩＤ＿ｃｏｄｅを示す情報に対応する個別識別情報ｏｒｉｇｉｎａｌ＿ＩＤ「ＸＹＺ」を抽出する。次いで、ステップＳ１１８において、ＣＰＵ３３０は、抽出した個別識別情報ｏｒｉｇｉｎａｌ＿ＩＤ「ＸＹＺ」を、通信ネットワーク８０を介して端末装置２００に返信する。
【００８９】
以降、ステップＳ１０６に戻り、端末装置２００からのアクセスがあるごとに、識別コードＩＤ＿ｃｏｄｅを示す情報に対応する個別識別情報ｏｒｉｇｉｎａｌ＿ＩＤを抽出し、端末装置２００に返信する。これにより、端末装置２００における登録処理に必要な個別識別情報ｏｒｉｇｉｎａｌ＿ＩＤが端末装置２００に送信される。
【００９０】
（３−３．リンクスケジュールサーバの制御処理）
図８は、リンクスケジュールサーバ（情報処理装置）１００により実行される制御処理のフローチャートを示す。まず、ステップＳ１３２において、ＣＰＵ１０５の抽出部１１０は、リンクスケジュールテーブルｔａｂｌｅ＿Ａをストレージ装置１３０に記憶させる。リンクスケジュールテーブルｔａｂｌｅ＿Ａは、例えば、テレビジョン番組「ＡＡＡ」を放送する放送局によって管理され、作成、更新、削除等される。
【００９１】
次いで、ステップＳ１３６において、ＣＰＵ１３０は、端末装置２００からのアクセスがあるか否かを判別する。端末装置２００からのアクセスがない場合（Ｓ１３６：Ｎｏ）、ステップＳ１３６の判別を繰り返し行う。一方、端末装置２００からのアクセスが有る場合（Ｓ１３６：Ｙｅｓ）、ステップＳ１４０に進み、抽出部１１０は、個別識別情報ｏｒｉｇｉｎａｌ＿ＩＤ「ＸＹＺ」を受信する。
【００９２】
次いで、ステップＳ１４４において、抽出部１１０は現在時刻の情報を取得する。次いで、ステップＳ１４８において、抽出部１１０は、個別識別情報ｏｒｉｇｉｎａｌ＿ＩＤ「ＸＹＺ」に対応するリンクスケジュールテーブルｔａｂｌｅ＿Ａを参照して、現在時刻に応じてリンク情報Ｌｉｎｋ  Ｔａｒｇｅｔを抽出する。抽出されるリンク情報Ｌｉｎｋ  Ｔａｒｇｅｔは一つに限られず、複数のリンク情報Ｌｉｎｋ  Ｔａｒｇｅｔが抽出されてもよい。
【００９３】
次いで、ステップＳ１５２において、送信制御部１２０は、通信ネットワーク８０を介して、抽出されたリンク情報Ｌｉｎｋ  Ｔａｒｇｅｔを端末装置２００に返信する。以降、ステップＳ１３６に戻り、端末装置２００からのアクセスがあるごとに、個別識別情報ｏｒｉｇｉｎａｌ＿ＩＤに関連するリンク情報Ｌｉｎｋ  Ｔａｒｇｅｔを現在時刻に応じて抽出し、端末装置２００に返信する。
【００９４】
これにより、現在時刻に応じて種々のコンテンツのリンク情報Ｌｉｎｋ  Ｔａｒｇｅｔが端末装置２００に送信され、端末装置２００では、リンク情報Ｌｉｎｋ  Ｔａｒｇｅｔに応じた動作が行われる。したがって、端末装置２００のユーザは、関心をもったテレビジョン番組の個別識別情報ｏｒｉｇｉｎａｌ＿ＩＤを登録しておくだけで、種々のコンテンツに誘導され、様々な体験をすることができる。
【００９５】
＜４．制御処理の変形例＞
次に、本実施形態の情報処理システムのうち、端末装置２００の制御処理の変形例について説明する。以下の説明では、主に、上述した図６に示すフローチャートから変更される点について説明する。
【００９６】
（４−１．第１の変形例）
第１の変形例は、端末装置２００が取得したリンク情報Ｌｉｎｋ  Ｔａｒｇｅｔが前回取得したリンク情報Ｌｉｎｋ  Ｔａｒｇｅｔと同じ場合に、制御部２３０は、リンク情報Ｌｉｎｋ  Ｔａｒｇｅｔに基づく動作制御を行わないでリンク情報Ｌｉｎｋ  Ｔａｒｇｅｔの要求を繰り返す点で、上述した制御処理とは異なっている。
【００９７】
図９は、端末装置２００の制御処理の第１の変形例を示すフローチャートである。第１の変形例のフローチャートは、図６に示すフローチャートにおけるステップＳ２６とステップＳ３０との間に、ステップＳ７２〜ステップＳ８０が追加されている。
【００９８】
かかる第１の変形例において、図６に示すフローチャートのステップＳ１０〜ステップＳ２６と同様の手順で、識別コードＩＤ＿ｃｏｄｅを示す情報の取得、識別コードサーバ３００へのアクセス、個別識別情報ｏｒｉｇｉｎａｌ＿ＩＤ「ＸＹＺ」の取得、リンクスケジュールサーバ１００へのポーリング、リンク情報Ｌｉｎｋ  Ｔａｒｇｅｔの取得が行われる。
【００９９】
次いで、ステップＳ７２において、制御部２３０は、取得されたリンク情報Ｌｉｎｋ  Ｔａｒｇｅｔが前回取得されたリンク情報Ｌｉｎｋ  Ｔａｒｇｅｔから変更されているか否かを判別する。今回取得されたリンク情報Ｌｉｎｋ  Ｔａｒｇｅｔが前回取得されたリンク情報Ｌｉｎｋ  Ｔａｒｇｅｔと同じである場合（Ｓ７２：Ｎｏ）、リンク情報Ｌｉｎｋ  Ｔａｒｇｅｔに応じた動作制御が行われることなくステップＳ２２に戻る。
【０１００】
一方、今回取得されたリンク情報Ｌｉｎｋ  Ｔａｒｇｅｔが前回取得されたリンク情報Ｌｉｎｋ  Ｔａｒｇｅｔから変更されている場合（Ｓ７２：Ｙｅｓ）、ステップＳ７６に進み、制御部２３０は、表示部２６０に、リンク情報Ｌｉｎｋ  Ｔａｒｇｅｔが変更されたことを通知するポップアップ表示をさせる。第１の変形例では、かかるポップアップ表示は、ユーザに、リンク先のコンテンツを利用するか否かを選択させる表示を含む。
【０１０１】
次いで、ステップＳ８０において、制御部２３０は、ユーザが、リンク先のコンテンツを利用する旨の選択を行ったか否かを判別する。ユーザが、コンテンツを利用する選択を行わない場合（Ｓ８０：Ｎｏ）、リンク情報Ｌｉｎｋ  Ｔａｒｇｅｔに応じた動作制御が行われることなくステップＳ２２に戻る。一方、ユーザが、コンテンツを利用する選択をした場合（Ｓ８０：Ｙｅｓ）、ステップＳ３０に進み、制御部２３０は、図６に示すフローチャートのステップＳ３０〜ステップＳ５８と同様の手順で、取得されたリンク情報Ｌｉｎｋ  Ｔａｒｇｅｔにしたがって、ウェブサイトの表示や録画予約等を実行する。
【０１０２】
第１の変形例によれば、ユーザがすでに閲覧したウェブサイトの表示動作や、録画予約済みのテレビジョン番組の録画予約動作が繰り返し実行されることが避けられる。したがって、ユーザによるコンテンツの利用が快適なものになる。
【０１０３】
（４−２．第２の変形例）
上記の実施形態及び第１の変形例では、端末装置２００側からリンクスケジュールサーバ１００側にリンク情報Ｌｉｎｋ  Ｔａｒｇｅｔの要求が行われ、リンク情報Ｌｉｎｋ  Ｔａｒｇｅｔが取得されていた。第２の変形例は、リンクスケジュールサーバ１００側から端末装置２００側にリンク情報Ｌｉｎｋ  Ｔａｒｇｅｔの変更、追加等の更新を知らせる通知が送信された場合に、端末装置２００がリンクスケジュールサーバ１００からリンク情報Ｌｉｎｋ  Ｔａｒｇｅｔを取得する点で、上述した制御処理とは異なっている。
【０１０４】
図１０は、端末装置２００の制御処理の第２の変形例を示すフローチャートである。第２の変形例のフローチャートは、図６に示すフローチャートにおけるステップＳ２２及びステップＳ２６が、ステップＳ９０〜ステップＳ９８に置き換わっている。
【０１０５】
かかる第２の変形例において、図６に示すフローチャートのステップＳ１０〜ステップＳ１８と同様の手順で、識別コードＩＤ＿ｃｏｄｅを示す情報の取得、識別コードサーバ３００へのアクセス、個別識別情報ｏｒｉｇｉｎａｌ＿ＩＤ「ＸＹＺ」の取得が行われる。次いで、ステップＳ９０において、制御部２３０は、通信ネットワーク８０を介して、個別識別情報ｏｒｉｇｉｎａｌ＿ＩＤ「ＸＹＺ」をリンクスケジュールサーバ１００に送信する。これにより、リンクスケジュールサーバ１００では、個別識別情報ｏｒｉｇｉｎａｌ＿ＩＤ「ＸＹＺ」のリンク情報Ｌｉｎｋ  Ｔａｒｇｅｔの配信先として端末装置２００が登録される。
【０１０６】
次いで、ステップＳ９４において、制御部２３０は、リンクスケジュールサーバ１００からの通知があるか否かを判別する。リンクスケジュールサーバ１００からの通知がない場合（Ｓ９４：Ｎｏ）、制御部２３０は、ステップＳ９４の判別を繰り返す。そして、リンクスケジュールサーバ１００からの通知がある場合（Ｓ９４：Ｙｅｓ）、制御部２３０は、リンクスケジュールサーバ１００にアクセスし、現在時刻に応じた個別識別情報ｏｒｉｇｉｎａｌ＿ＩＤ「ＸＹＺ」に関連するコンテンツのリンク情報Ｌｉｎｋ  Ｔａｒｇｅｔを取得する。
【０１０７】
次いで、ステップＳ３０に進み、制御部２３０は、図６に示すフローチャートのステップＳ３０〜ステップＳ５８と同様の手順で、取得されたリンク情報Ｌｉｎｋ  Ｔａｒｇｅｔにしたがって、ウェブサイトの表示や録画予約等を実行する。
【０１０８】
第２の変形例によれば、リンクスケジュールサーバ１００から端末装置２００に対してリンク情報Ｌｉｎｋ  Ｔａｒｇｅｔの更新が通知された場合に、端末装置２００がリンク情報Ｌｉｎｋ  Ｔａｒｇｅｔを取得する。これにより、端末装置２００側の負荷が軽減するとともに、ユーザがすでに閲覧したウェブサイトの表示動作や、録画予約済みのテレビジョン番組の録画予約動作が繰り返し実行されることが避けられる。したがって、ユーザによるコンテンツの利用が快適なものになる。
【０１０９】
＜５．まとめ＞
以上のように、本実施形態にかかるリンクスケジュールサーバ（情報処理装置）１００は、テレビジョン番組「ＡＡＡ」の個別識別情報ｏｒｉｇｉｎａｌ＿ＩＤ「ＸＹＺ」に対して複数のコンテンツのリンク情報Ｌｉｎｋ  Ｔａｒｇｅｔを時間軸とともに関連付けしたリンクスケジュールテーブルｔａｂｌｅ＿Ａを格納している。リンクスケジュールサーバ１００は、リンクスケジュールテーブルｔａｂｌｅ＿Ａから、現在時刻に応じたリンク情報Ｌｉｎｋ  Ｔａｒｇｅｔを抽出し、個別識別情報ｏｒｉｇｉｎａｌ＿ＩＤ「ＸＹＺ」をあらかじめ登録した端末装置２００に対して送信する。したがって、端末装置２００のユーザは、テレビジョン番組「ＡＡＡ」の放送前から放送中、放送後に渡って、テレビジョン番組「ＡＡＡ」に関連する種々のコンテンツを利用することができ、高い満足度を得ることができる。
【０１１０】
また、本実施形態にかかるリンクスケジュールサーバ１００は、番組紹介サイト、イベント識別情報ｅｖｅｎｔ＿ＩＤ、見逃し番組提供サイト等の、管理者が異なるコンテンツについて、複数の管理者によるサービスを連携させたビジネスの構築が容易になる。
【０１１１】
また、リンクスケジュールサーバ１００に格納されたリンクスケジュールテーブルｔａｂｌｅ＿Ａは、逐次更新可能となっている。これにより、ユーザに対して提供されるコンテンツのリンク情報Ｌｉｎｋ  Ｔａｒｇｅｔを動的に変更することができる。したがって、ユーザは、テレビジョン番組「ＡＡＡ」に関連する種々のコンテンツに適時に触れることができ、豊かな体験をすることができる。また、リンクスケジュールテーブルｔａｂｌｅ＿Ａが逐次更新可能であれば、時間の経過に伴って新たなリンク先を追加することができ、過去のウェブサイトが閉じられた後においても、異なる番組紹介サイトや関連グッズを販売するサイト等の関連サイトにユーザを導いて、関連ビジネスにつなげることもできる。
【０１１２】
さらに、リンクスケジュールテーブルｔａｂｌｅ＿Ａが逐次更新可能であれば、例えば、テレビジョン番組「ＡＡＡ」を提供する見逃し番組提供サイトを逐次追加することによって、ユーザは、コストを比較してより安価なサイトを選択し、あるいは、利用登録されているサイトを利用しやすくなる。
【０１１３】
また、第１の変形例では、ユーザがすでに閲覧したウェブサイトの表示動作や、録画予約済みのテレビジョン番組の録画予約動作が繰り返し実行されることが避けられる。したがって、ユーザによるコンテンツの利用が快適なものになる。
【０１１４】
さらに、第２の変形例では、リンクスケジュールサーバ１００から端末装置２００に対してリンク情報Ｌｉｎｋ  Ｔａｒｇｅｔの更新が通知された場合に、端末装置２００がリンク情報Ｌｉｎｋ  Ｔａｒｇｅｔを取得する。これにより、端末装置２００側の負荷が軽減するとともに、ユーザがすでに閲覧したウェブサイトの表示動作や、録画予約済みのテレビジョン番組の録画予約動作が繰り返し実行されることが避けられる。したがって、ユーザによるコンテンツの利用が快適なものになる。
【０１１５】
＜６．応用例＞
上記実施形態では、イベントとしてテレビジョン番組を例に採って説明したが、テレビジョン番組以外のイベントであっても、本実施形態にかかる情報処理装置を利用して、ユーザの満足度を高めることができる。
【０１１６】
例えば、イベントが音楽ライブや演劇等の場合、イベント開催日に先立ってイベントの紹介サイトを立ち上げて、イベントに関心をもつユーザに紹介サイトのＵＲＬを提供したり、イベント開催日当日には、イベント会場の地図をリンク先に設定したりしてもよい。また、イベント開催時間帯には短文投稿サイトを立ち上げて、当該サイトのＵＲＬを提供し、イベント終了後には、例えば、イベントを収録したＤＶＤの発売に合わせて、ネットショッピングサイトのＵＲＬを提供してもよい。
【０１１７】
また、イベントが就職面接等の場合、面接開催日に先立って募集要項等の紹介サイトを立ち上げて、人材募集中の企業に関心をもつユーザに紹介サイトのＵＲＬを提供したり、面接開催日当日には、面接会場の地図をリンク先に設定したりしてもよい。また、人材募集中の企業に関心をもつユーザのコミュニケーションの場としてソーシャルネットワーキングサ-ビスサイトを立ち上げて、当該サイトのＵＲＬを提供したりしてもよい。
【０１１８】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１１９】
例えば、上記実施形態では、端末装置２００がマトリックス式二次元コード等の識別コードＩＤ＿ｃｏｄｅを解析して識別コードＩＤ＿ｃｏｄｅを示す情報に変換していたが、本開示の技術はかかる例に限定されない。識別コードＩＤ＿ｃｏｄｅを示す情報への変換処理は、識別コードサーバ３００が行ってもよい。
【０１２０】
また、上記実施形態の第１の変形例では、端末装置２００が、取得したリンク情報Ｌｉｎｋ  Ｔａｒｇｅｔに変更がない場合にはリンク情報Ｌｉｎｋ  Ｔａｒｇｅｔに基づく動作処理を省略していたが、本開示の技術はかかる例に限定されない。例えば、リンク情報Ｌｉｎｋ  Ｔａｒｇｅｔを送信するリンクスケジュールサーバ１００側で、現在時刻に応じて抽出したリンク情報Ｌｉｎｋ  Ｔａｒｇｅｔがすでに端末装置２００に送信したリンク情報Ｌｉｎｋ  Ｔａｒｇｅｔと同じである場合には、当該リンク情報Ｌｉｎｋ  Ｔａｒｇｅｔの送信を省略してもよい。あるいは、リンクスケジュールサーバ１００が、一度端末装置２００に送信したリンク情報Ｌｉｎｋ  Ｔａｒｇｅｔについては、以降抽出しないようにしてもよい。
【０１２１】
また、上記実施形態では、識別コードＩＤ＿ｃｏｄｅを個別識別情報ｏｒｉｇｉｎａｌ＿ＩＤに変換し、当該個別識別情報ｏｒｉｇｉｎａｌ＿ＩＤを用いてリンク情報Ｌｉｎｋ  Ｔａｒｇｅｔを提供していたが、本開示の技術はかかる例に限定されない。例えば、識別コードＩＤ＿ｃｏｄｅを示す情報を用いて、リンクスケジュールサーバ１００が対応するリンク情報Ｌｉｎｋ  Ｔａｒｇｅｔを抽出し、端末装置２００に送信してもよい。
【０１２２】
また、本明細書に記載された効果は、あくまで説明的または例示的なものであって限定的ではない。つまり、本開示にかかる技術は、上記の効果とともに、または上記の効果に代えて、本明細書の記載から当業者には明らかな他の効果を奏しうる。
【０１２３】
なお、以下のような構成も本開示の技術的範囲に属する。
（１）所定のイベントを識別する個別識別情報に対して複数のコンテンツのリンク情報を時間軸とともに関連付けしたリンクスケジュールテーブルから、現在時刻に応じた前記コンテンツのリンク情報を抽出する抽出部と、
抽出した前記コンテンツのリンク情報を前記個別識別情報が登録された端末装置に向けて送信する送信制御部と、
を備える、情報処理装置。
（２）前記リンクスケジュールテーブルは、前記コンテンツのリンク情報を有効化する開始時刻及び終了時刻のうちの少なくとも一方の情報を含む、前記（１）に記載の情報処理装置。
（３）前記複数のコンテンツが前記イベントの詳細情報を紹介するウェブサイトを含み、
前記コンテンツのリンク情報は、前記ウェブサイトのアドレス情報を含む、前記（１）又は（２）に記載の情報処理装置。
（４）前記複数のコンテンツが短文投稿サイトを含み、
前記コンテンツのリンク情報は、前記短文投稿サイトのアドレス情報を含む、前記（１）〜（３）のいずれか１項に記載の情報処理装置。
（５）前記短文投稿サイトのアドレス情報は、少なくとも前記イベントの進行中に有効化される、前記（４）に記載の情報処理装置。
（６）前記複数のコンテンツがテレビジョン放送を含み、
前記コンテンツのリンク情報は、テレビジョン番組に対して割り当てられるイベント識別情報を含む、前記（１）〜（５）のいずれか１項に記載の情報処理装置。
（７）前記イベント識別情報は、前記テレビジョン番組の放送終了時刻までの期間に有効化される、前記（６）に記載の情報処理装置。
（８）前記複数のコンテンツが見逃し番組提供サイトを含み、
前記コンテンツのリンク情報は、前記見逃し番組提供サイトのアドレス情報を含む、前記（１）〜（７）のいずれか１項に記載の情報処理装置。
（９）前記見逃し番組提供サイトのアドレス情報は、前記イベントとしてのテレビジョン放送、又は、前記イベントに関連するテレビジョン放送の終了後に有効化される、前記（８）に記載の情報処理装置。
（１０）所定のイベントがテレビジョン番組であり、
前記リンクスケジュールテーブルは、前記テレビジョン番組の紹介サイトのアドレス情報、前記テレビジョン番組に対して割り当てられるイベント識別情報、視聴リマインダサイトのアドレス情報、短文投稿サイトのアドレス情報、及び、見逃し番組提供サイトのアドレス情報のうちの少なくとも一つを、有効化開始時刻がこの順となるように含む、前記（１）又は（２）に記載の情報処理装置。
（１１）前記リンクスケジュールテーブルは、任意の時間に変更され得る、前記（１）〜（１０）のいずれか１項に記載の情報処理装置。
（１２）前記送信制御部は、抽出された前記コンテンツのリンク情報が、すでに前記端末装置に送信したリンク情報と同じである場合には、当該リンク情報の送信を省略する、前記（１）〜（１１）のいずれか１項に記載の情報処理装置。
（１３）所定のイベントを識別する個別識別情報に対して複数のコンテンツのリンク情報を時間軸とともに関連付けしたリンクスケジュールテーブルから、現在時刻に応じた前記コンテンツのリンク情報を抽出することと、
抽出した前記コンテンツのリンク情報を前記個別識別情報が登録された端末装置に向けて送信することと、
を含む、情報処理方法。
（１４）所定のイベントを識別する個別識別情報の登録処理を行う登録処理部と、
情報処理装置により、前記個別識別情報に対して複数のコンテンツのリンク情報を時間軸とともに関連付けしたリンクスケジュールテーブルから現在時刻に応じて抽出され、送信される前記コンテンツのリンク情報を取得する取得部と、
取得した前記リンク情報に基づき所定の動作制御を行う制御部と、
を備える、制御装置。
（１５）前記登録処理部は、識別コードサーバに対して識別コードを示す情報を送信するとともに、当該識別コードを示す情報に対応する前記個別識別情報を前記識別コードサーバから受信する、前記（１４）に記載の制御装置。
（１６）前記制御部は、前記リンク情報に基づいて、表示部に前記コンテンツを表示させる、前記（１４）又は（１５）に記載の制御装置。
（１７）前記制御部は、前記リンク情報に基づいて、前記コンテンツに応じた動作をユーザに促す表示を行う、前記（１４）〜（１６）のいずれか１項に記載の制御装置。
【符号の説明】
【０１２４】
５０    テレビジョン受像機
５４    録画機器
１００    リンクスケジュールサーバ（情報処理装置）
１１０    抽出部
１２０    送信制御部
１３０    ストレージ装置
２００    端末装置
３００    識別コードサーバ
【図１】
2017022297.tif 000003
【図２】
2017022297.tif 000004
【図３】
2017022297.tif 000005
【図４】
2017022297.tif 000006
【図５】
2017022297.tif 000007
【図６】
2017022297.tif 000008
【図７】
2017022297.tif 000009
【図８】
2017022297.tif 000010
【図９】
2017022297.tif 000011
【図１０】
2017022297.tif 000012
【国際調査報告】
2017022297.tif 000013
2017022297.tif 000014
2017022297.tif 000015
2017022297.tif 000016